【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
（ａ）下式の構造
【化１】
2015517005.tif 000001
を有するジヒドロキシ芳香族化合物のアルカリ金属塩と、
下式の構造
【化２】
2015517005.tif 000002
を有するモノヒドロキシ芳香族化合物のアルカリ金属塩と、を含むアルカリ金属塩類の組み合わせ（式中、Ｍ１とＭ２は、それぞれ独立にアルカリ金属であり；Ｚ１とＺ２はそれぞれ独立に、１〜６個のＣ１−８アルキル基、１〜８個のハロゲン原子あるいはこれらの組み合わせで任意に置換されたＣ６−２４単環式または多環式芳香族ヒドロカルビル部分であり；前記モノヒドロキシ芳香族化合物の前記アルカリ金属塩は、前記アルカリ金属塩類の合計モル数に対して、０超〜５モル％未満含まれている）と；
（ｂ）下式の構造
【化３】
2015517005.tif 000003
｛式中、Ｒは、Ｃ６−２７芳香族炭化水素基、そのハロゲン化誘導体、直鎖または分枝鎖のＣ２−１０アルキレン基、そのハロゲン化誘導体、Ｃ３〜２０シクロアルキレン基、そのハロゲン化誘導体、１〜６個の芳香族基を有する芳香族ヒドロカルビル部分、および下式の構造
【化４】
2015517005.tif 000004
［式中、Ｑ１は、直接結合、−Ｏ−，−Ｓ−、−Ｃ（Ｏ）−、−ＳＯ２−、−ＳＯ−、−ＣｙＨ２ｙ−（ｙ：１〜５の整数）およびそのハロゲン化誘導体、および−（Ｃ６Ｈ１０）ｚ−（ｚ：１〜４の整数）から選択される］を有する二価基から選択され；Ｘはそれぞれ独立に、フルオロ、クロロ、ブロモおよびヨードから選択される｝を有するビス（ハロフタルイミド）と、の反応組み合わせを含むポリエーテルイミドであって、質量平均分子量が４３，０００ダルトン以上であって、下式の構造単位
【化５】
2015517005.tif 000005
（式中、ｎは１より大きく；Ｒは、それぞれ同じであっても異なっていてもよく；Ｚ１はそれぞれ、上記に定義されたものであって同じであっても異なっていてもよい）を含むポリエーテルイミドを含むことを特徴とするポリエーテルイミド組成物。
【請求項２】
前記ポリエーテルイミドは、その合計質量に対して、０．５〜４質量％のモノヒドロキシ芳香族化合物置換基を含む請求項１に記載のポリエーテルイミド組成物。
【請求項３】
残留ビス（ハロフタルイミド）の合計含有量は、前記ポリエーテルイミドの合計質量に対して、６００ｐｐｍ未満である請求項１または２に記載のポリエーテルイミド組成物。
【請求項４】
前記ポリエーテルイミドのプレートアウト質量は、寸法が５×６×０．１６インチ（１２．７×１５．２×０．４ｃｍ）で温度１００°Ｆ（３７．８℃）の金型からの２００ショットにより求めて１．１ｍｇ未満である請求項１乃至３のいずれか１項に記載のポリエーテルイミド組成物。
【請求項５】
前記Ｚ１は下式の構造
【化６】
2015517005.tif 000006
を有する二価基であり；
Ｚ２は下式の構造
【化７】
2015517005.tif 000007
を有する一価基であり
（式中、ＱａおよびＱｂはそれぞれ独立に、単結合、−Ｏ−、−Ｓ−、−Ｃ（Ｏ）−、−ＳＯ２−、−ＳＯ−、−ＣｙＨ２ｙ−（ｙ：１〜５の整数）およびそのハロゲン化誘導体、および−（Ｃ６Ｈ１０）ｚ−（Ｚは１〜４の整数）から選択される）；
Ｒは下式の構造
【化８】
2015517005.tif 000008
（式中、Ｑ１は、単結合、−Ｏ−、−Ｓ−、−Ｃ（Ｏ）−、−ＳＯ２−、−ＳＯ−、−ＣｙＨ２ｙ−（ｙ：１〜５の整数）およびそのハロゲン化誘導体、および−（Ｃ６Ｈ１０）ｚ−（Ｚは１〜４の整数）から選択される）の二価基およびその組み合わせである請求項１乃至４のいずれか１項に記載のポリエーテルイミド組成物。
【請求項６】
触媒、耐衝撃性改良剤、充填剤、補強剤、酸化防止剤、熱安定剤、光安定剤、紫外線（ＵＶ）吸収剤、失活剤、可塑剤、潤滑剤、離型剤、帯電防止剤、着色剤、発泡剤、難燃剤、防滴剤、補強充填剤、微粒子充填材、ナノ充填剤、放射線安定剤およびこれらの組み合わせから選択された添加剤をさらに含む請求項１乃至５のいずれか１項に記載のポリエーテルイミド組成物。
【請求項７】
（ａ）ビスフェノールＡのアルカリ金属塩と、ｐ−クミルフェノールのアルカリ金属塩とを含むアルカリ金属塩類の組み合わせ（ここで、前記ｐ−クミルフェノールのアルカリ金属塩は、前記アルカリ金属塩類の合計モル数に対して、０超〜５モル％未満含まれている）と；
（ｂ）下式の構造
【化９】
2015517005.tif 000009
（式中、Ｒは、ｍ−フェニレン、ｐ−フェニレン、ジアリールスルホンおよびこれらの組み合わせから選択される）を有するビス（クロロフタルイミド）と、の反応組み合わせを含むポリエーテルイミドであって、質量平均分子量が４３，０００ダルトン以上であって、下式の構造単位
【化１０】
2015517005.tif 000010
（式中、ｎは１より大きく；Ｒは上記に定義したものである）を含むポリエーテルイミドを含むポリエーテルイミド組成物であって、
前記ポリエーテルイミド組成物における残留ビス（ハロフタルイミド）と残留ビス（フタルイミド）との合計含有量は、前記組成物の合計質量に対して、０．０５質量％未満であり；
残留ビス（クロロフタルイミド）の合計含有量は、前記組成物の合計質量に対して、６００ｐｐｍ未満であり；
塩化物の合計含有量は、前記組成物の合計質量に対して、３０００ｐｐｍ未満であることを特徴とするポリエーテルイミド組成物。
【請求項８】
（ａ）下式の構造
【化１１】
2015517005.tif 000011
を有する無水ハロフタル酸を、下式の構造
【化１２】
2015517005.tif 000012
を有する有機ジアミンと接触させて、下式の構造
【化１３】
2015517005.tif 000013
を有するビス（ハロフタルイミド）を形成するステップと；
（ｂ）前記ビス（ハロフタルイミド）を、下式の構造
【化１４】
2015517005.tif 000014
を有するジヒドロキシ芳香族化合物のアルカリ金属塩と、下式の構造
【化１５】
2015517005.tif 000015
を有するモノヒドロキシ芳香族化合物のアルカリ金属塩と、を含むアルカリ金属塩類の組み合わせ（ここで、前記モノヒドロキシ芳香族化合物の前記アルカリ金属塩は、前記アルカリ金属塩類の合計モル数に対して、０超〜５モル％未満含まれている）に接触させて、下式の構造
【化１６】
2015517005.tif 000016
を有する構造単位
｛式中、ｎは１より大きく；Ｘはそれぞれ独立に、フルオロ、クロロ、ブロモおよびヨードから選択され；Ｒは、Ｃ６−２７芳香族炭化水素基、そのハロゲン化誘導体、直鎖または分枝鎖Ｃ２−１０アルキレン基、そのハロゲン化誘導体、Ｃ３−２０シクロアルキレン基、そのハロゲン化誘導体、１〜６個の芳香族基を有する芳香族ヒドロカルビル部分および下式の構造
【化１７】
2015517005.tif 000017
（式中、Ｑ１は、結合、−Ｏ−、−Ｓ−、−Ｃ（Ｏ）−、−ＳＯ２−、−ＳＯ−、−ＣｙＨ２ｙ−（ｙ：１〜５の整数）およびそのハロゲン化誘導体、および−（Ｃ６Ｈ１０）ｚ−（Ｚは１〜４の整数）から選択される）を有する二価基から選択され；
Ｍ１とＭ２はそれぞれ独立にアルカリ金属であり；
Ｚ１とＺ２はそれぞれ独立に、１〜６個のＣ１−８アルキル基、１〜８個のハロゲン原子あるいはこれらの組み合わせで任意に置換されたＣ６−２４単環式または多環式芳香族ヒドロカルビル部分である｝を含むポリエーテルイミドを形成するステップと、を備え、
前記ポリエーテルイミドの質量平均分子量は４３，０００ダルトン超であることを特徴とするポリエーテルイミドの製造方法。
【請求項９】
前記ポリエーテルイミドは、その合計質量に対して、０．５〜４質量％のモノヒドロキシ芳香族化合物置換基を含む請求項８に記載の方法。
【請求項１０】
残留ビス（ハロフタルイミド）の合計含有量は、前記ポリエーテルイミドの合計質量に対して、６００ｐｐｍ未満である請求項８または９に記載の方法。
【請求項１１】
請求項１乃至７のいずれか１項に記載のポリエーテルイミドを含むことを特徴とする物品。
【請求項１２】
シート、フィルム、多層シート、多層フィルム、成形部品、異型押出品、被覆部品、膜、発泡体、複合材および繊維から選択される請求項１１に記載の物品。